(57)【要約】【課題】被洗浄面である車体に強固に付着している汚れを除去することができる高い洗浄性を有すると共に、洗車時にブラシ片が車体に当接する際の接触音を低減させることができる洗車機用洗浄ブラシのブラシ片、及びそれを用いた洗車機用洗浄ブラシ、及びその洗車機用洗浄ブラシを搭載した洗車機を提供する。【解決手段】自動車あるいは車両の外面の被洗浄面に付着した汚れ等を洗浄する為の洗車機に使用する洗車機用洗浄ブラシのブラシ片において、前記ブラシ片は少なくとも一箇所以上の中空部が形成されてあるものである。【選択図】      図１
2007290529.tif 000002
【特許請求の範囲】
【請求項１】
自動車あるいは車両の外面の被洗浄面に付着した汚れ等を洗浄する為の洗車機に使用する洗車機用洗浄ブラシのブラシ片において、前記ブラシ片は少なくとも一箇所以上の中空部が形成されてあることを特徴とする洗車機用洗浄ブラシのブラシ片。
【請求項２】
請求項１記載の洗車機用洗浄ブラシのブラシ片の前記中空部を、軸体部から洗浄水、洗浄剤、風を被洗浄面に吹き付ける為の連絡通路とした洗車機用洗浄ブラシ。
【請求項３】
請求項１記載の構成よりなる洗車機用洗浄ブラシのブラシ片において、前記ブラシ片の材質に、合成樹脂発泡体が使用されてあることを特徴とする洗車機用洗浄ブラシのブラシ片。
【請求項４】
駆動源と、被洗浄面に散布する洗浄剤及び洗浄水を噴出させるノズルと、洗浄後の被洗浄面を乾燥させる乾燥手段を備えると共に、請求項１から３記載の洗車機用洗浄ブラシのブラシ片を有する洗車機用洗浄ブラシを搭載した洗車機。
【発明の詳細な説明】
【技術分野】
【０００１】
本発明は、自動車あるいは車両の外面の被洗浄面に付着した汚れ等を洗浄する為の洗車機に使用する洗浄ブラシのブラシ片、及びそれを用いた洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗浄ブラシのブラシ片、及びそれを用いた洗浄ブラシ、及びその洗浄ブラシを搭載した洗車機に関しては、使用目的に応じて、さまざまな改良がなされ、例えば、無数の独立気泡を有する合成樹脂発泡体よりなるブロックをスライスして形成した複数のシート状洗浄体の基端部が回転体の外周にその回転軸線に略沿うようにそれぞれ取付けられていて、その各洗浄体の自由端側が該回転体の略放射方向に延びており、前記各洗浄体の自由端部には、それを複数のスリットにより細分化して、互いに平行に並ぶ横断面方形状の複数のブラシ毛が形成されており、その各ブラシ毛の、前記ブロックのスライス面で形成される平坦な側面が、該各ブラシ毛の先端側から見て前記回転体の回転軸線に対し傾斜するように、前記各洗浄体基端部の前記回転体に対する取付位置が設定されていることを特徴とする洗車機が、特開２００２−３１６６２２号公報に開示されてある。
【０００３】
また、付属のブラシ毛を潤滑および洗浄するための手段を含む車洗浄ブラシであって、長く延びた管状本体を備え、この管状本体が、複数の様々に分布したブラシ毛を支持し、前記管状本体を回転駆動すべくモータ減速ユニットに結合でき、前記ブラシが、前記管状本体に対応して、流体を搬送する複数のチャネルを備え、前記チャネルが、前記ブラシの内側から外側に向かって前記ブラシ毛に流体を噴霧するための、関連する複数のノズルを備え、前記チャネルが前記ブラシの前記押出成形された管状本体と一体に製造されることを特徴とする車洗浄ブラシが、特表２００３−５２５７２８号公報に開示されてある。
【０００４】
【特許文献１】特開２００２−３１６６２２号公報
【特許文献２】特表２００３−５２５７２８号公報
【発明の開示】
【発明が解決しようとする課題】
【０００５】
従来の洗車機用洗浄ブラシのブラシ片、及びそれを用いた洗浄ブラシ、及びその洗浄ブラシを搭載した洗車機は、例えば、上記の如くの特徴を有する技術が開示されてあるが、特開２００２−３１６６２２号に開示されてある技術においては、洗浄体を構成するブラシ毛は、平坦な側面が徐々に車体に当接する構造である為、ブラシ毛が車体に当接する際の接触音を低減させることは可能であるが、車体表面に強固に付着している汚れを除去することは困難であり、洗浄性が劣るという課題を有していた。
【０００６】
また、特表２００３−５２５７２８号に開示されてある技術においては、管状本体に設けられたノズルからブラシ毛に流体を噴霧する為、ブラシ毛による洗浄効果は発揮できるものの、車体にたいして、直接、流体が当らないので、流体噴霧に伴う水圧やエアー圧により、車体に堆積している砂塵等の汚れを吹き飛ばす効果は発揮されず、飛躍的な洗浄効果の向上を図ることが難しいという課題を有していた。
【０００７】
本発明は、上記従来の課題を解決するもので、被洗浄面である車体に強固に付着している汚れを除去することができる高い洗浄性を有すると共に、洗車時にブラシ片が車体に当接する際の接触音を低減させることができる洗車機用洗浄ブラシのブラシ片、及びそれを用いた洗車機用洗浄ブラシ、及びその洗車機用洗浄ブラシを搭載した洗車機を提供することを目的としている。
【課題を解決するための手段】
【０００８】
前記従来の課題を解決する為に、本発明の洗車機用洗浄ブラシのブラシ片は、自動車あるいは車両の外面の被洗浄面に付着した汚れ等を洗浄する為の洗車機に使用する洗車機用洗浄ブラシのブラシ片において、前記ブラシ片は少なくとも一箇所以上の中空部が形成されてあるもので、ブラシ片は被洗浄面である車体に当接すると、中空部が車体からブラシ片に加えられた衝撃力により変形し、車体にたいする接触面積が、衝撃力に応じて適時徐変する為、ブラシ片は車体に強固に付着している水垢等の汚れを擦り取るように除去する。また、ブラシ片の中空部が、車体からブラシ片に加えられた衝撃力を吸収するので、洗車時のブラシ片の接触音が低減される。
【０００９】
また、本発明の洗車機用洗浄ブラシは、請求項１記載の洗車機用洗浄ブラシのブラシ片の前記中空部を、軸体部から洗浄水、洗浄剤、風を被洗浄面に吹き付ける為の連絡通路としたもので、ブラシ片の中空部から洗浄剤、洗浄水、風等の流体が、直接、被洗浄面である車体にたいして噴霧される為、流体噴霧に伴う水圧やエアー圧により、車体表面の砂塵等の汚れが吹き飛ばされると共に、ブラシ片による水垢等の汚れの除去性能も発揮される。
【００１０】
さらに、本発明の洗車機は、駆動源と、被洗浄面に散布する洗浄剤及び洗浄水を噴出させるノズルと、洗浄後の被洗浄面を乾燥させる乾燥手段を備えると共に、請求項１から３記載の洗車機用洗浄ブラシのブラシ片を有する洗車機用洗浄ブラシを搭載したもので、高い洗浄性を有する洗車機用洗浄ブラシが搭載されてある。その為、洗車機は、駆動源により洗車機用洗浄ブラシを高速回転に設定すると共に、洗浄時間を短時間に設定した場合においても、洗浄残りの無い高い洗浄性が発揮される。
【発明の効果】
【００１１】
本発明の洗車機用洗浄ブラシのブラシ片は、中空部が形成されてあるので、被洗浄面から加えられた衝撃力により、被洗浄面にたいする接触面積が適時徐変し、車体に強固に付着している汚れを除去することができると共に、被洗浄面からの衝撃力を吸収し、洗車時の接触音の低減を図ることができる為、高い洗浄性と静音性を兼ね備えた非常に優れたものである。
【発明を実施するための最良の形態】
【００１２】
第１の発明は、自動車あるいは車両の外面の被洗浄面に付着した汚れ等を洗浄する為の洗車機に使用する洗車機用洗浄ブラシのブラシ片において、前記ブラシ片は少なくとも一箇所以上の中空部が形成されてあるもので、ブラシ片は被洗浄面である車体に当接すると、中空部が車体からブラシ片に加えられた衝撃力により変形し、車体にたいする接触面積が、衝撃力に応じて適時徐変する為、ブラシ片は車体に強固に付着している水垢等の汚れを擦り取るように除去する。その為、ブラシ片は、高い洗浄性を発揮することができる。
【００１３】
また、中空部が、車体からブラシ片に加えられた衝撃力を吸収する為、洗車時に、ブラシ片が車体に当接する際の接触音が低減するので、高い静音性が発揮される。
【００１４】
第２の発明は、第１の発明の洗車機用洗浄ブラシのブラシ片の前記中空部を、軸体部から洗浄水、洗浄剤、風を被洗浄面に吹き付ける為の連絡通路とした洗車機用洗浄ブラシとしたもので、ブラシ片の中空部から洗浄剤、洗浄水、風等の流体が、直接、被洗浄面である車体にたいして噴霧される為、流体噴霧に伴う水圧やエアー圧により、車体表面の砂塵等の汚れが吹き飛ばされると共に、ブラシ片による水垢等の汚れの除去性能も発揮される。その為、洗浄性が飛躍的に向上する。
【００１５】
また、洗車後、ブラシ片の中空部から温風が噴き出される場合、洗車中に洗浄水等で濡れたブラシ片を乾かすことができるので、冬季におけるブラシ片の凍結防止につながる。
【００１６】
第３の発明は、特に、第１の発明の洗車機用洗浄ブラシのブラシ片において、前記ブラシ片の材質に、合成樹脂発泡体が使用されてあるもので、合成樹脂発泡体は高い弾力性を有している。その為、ブラシ片は、洗車中に折れや切れ等の発生が無く、高い耐久性を発揮することができる。
【００１７】
第４の発明は、駆動源と、被洗浄面に散布する洗浄剤及び洗浄水を噴出させるノズルと、洗浄後の被洗浄面を乾燥させる乾燥手段を備えると共に、第１の発明から第３の発明に記載の洗車機用洗浄ブラシのブラシ片を有する洗車機用洗浄ブラシを搭載した洗車機としたもので、高い洗浄性を有する洗車機用洗浄ブラシが搭載されてある。その為、洗車機は、駆動源により洗車機用洗浄ブラシを高速回転に設定すると共に、洗浄時間を短時間に設定した場合においても、洗浄残りの無い高い洗浄性を発揮することができる。
【００１８】
以下、本発明の実施の形態について図面を参照しながら説明する。なお、この実施の形態により本発明が限定されるものではない。
【００１９】
（実施例１）
図１（Ａ）は、本発明の洗車機用洗浄ブラシのブラシ片を前面側から見た斜視図、図１（Ｂ）は、本発明の他の実施の形態における洗車機用洗浄ブラシのブラシ片を前面側から見た斜視図、図２は、本発明の洗車機用洗浄ブラシのブラシ片を配した洗車機用洗浄ブラシを前面側から見た斜視図、図３は、図２の部分拡大断面図、図４（Ａ）は、本発明の他の実施の形態における洗車機用洗浄ブラシのブラシ片を前面側から見た斜視図、図４（Ｂ）は、本発明の他の実施の形態における洗車機用洗浄ブラシのブラシ片を前面側から見た斜視図、図５は、本発明の洗車機用洗浄ブラシのブラシ片を配した洗車機用洗浄ブラシが搭載されてある洗車機の正面図である。
【００２０】
図１（Ａ）において、ブラシ片１は、概丸形断面の中空部３を４箇所有する概長板形状の合成樹脂発泡体２にて形成されてあり、長手方向の表面、及び裏面には溝部４を有する。ブラシ片１に形成される中空部３の数については、特に限定されるものではなく、上記４箇所以外にも、使用目的に応じて、適時、設定することができる。例えば、図４（Ａ）の如く、概丸形断面の中空部３３を有する略円筒形状の合成樹脂発泡体３２にて形成されてあるブラシ片３１等を用いることができる。
【００２１】
次に、ブラシ片１、３１の製造方法について説明する。ブラシ片１、３１は、エチレン酢酸ビニル樹脂を型発泡すると共に、発泡の際に、発泡剤に架橋剤を添加して、エチレン酢酸ビニル樹脂の分子間に共有架橋構造が形成された弾力性を有する合成樹脂発泡体２、３２にて構成されてある。前記の如く、エチレン酢酸ビニル樹脂等の樹脂の分子間に共有架橋構造が形成された弾力性を有する合成樹脂発泡体２、３２は、一般的には架橋発泡体と呼ばれている。合成樹脂発泡体２、３２の発泡倍率は、被洗浄面に傷を付けないという観点より、２倍から１５倍が好ましく、２．５倍から１２倍にて調整されるのがより一層好ましい。発泡倍率が２倍未満の場合には、硬すぎて被洗浄面に傷を付けることになり、１５倍より大の場合には、摩擦抵抗が大きくなり、洗車時の接触音が大きくなると共に、被洗浄面にたいして傷を付けやすくなる。なお、合成樹脂発泡体２、３２に用いられる材質としては、前記エチレン酢酸ビニル樹脂の他、ポリエチレン樹脂、ポリプロピレン樹脂、エチレンメチルアクリレート樹脂、エチレンエチルアクリレート樹脂、エチレンブチルアクリレート樹脂等のポリオレフィン系樹脂を使用することもでき、前記の如くの材質は、単独で用いられても併用されても良い。
【００２２】
また、前記発泡剤としては、従来から合成樹脂発泡体２、３２の製造に用いられているものであれば、特に限定されず、例えば、重炭酸ナトリウム、重炭酸アンモニウム、アゾジカルボンアミド、ベンゼンスルホニルヒドラジド、ジニトロソペンタメチレンテトラミン、トルエンスルホニルヒドラジド、４，４−オキシビスベンゼンスルホニルヒドラジド等の熱分解型発泡剤が好適に用いられ、前記材質は単独で用いられても併用されても構わない。
【００２３】
また、前記架橋剤としては、従来から合成樹脂発泡体２、３２に弾力性を付与する目的で製造に用いられているものであれば、特に限定されず、例えば、ジクミルパーオキサイド、２，５−ジメチル−２，５−ビス−ターシャリーブチルパーオキシヘキセン、１，３−ビス−ターシャリーパーオキシイソプロピルベンゼン等の有機過酸化物が好適に用いられ、前記材質は単独で用いられても併用されても差し支えない。
【００２４】
本発明の洗車機用洗浄ブラシのブラシ片１の動作、作用は下記の通りである。
【００２５】
ブラシ片１は、４箇所の中空部３が形成されてあるので、被洗浄面である車体に当接すると、中空部３が車体からブラシ片１に加えられた衝撃力により変形し、車体にたいする接触面積が、衝撃力に応じて適時徐変する為、ブラシ片１は車体に強固に付着している水垢等の汚れを擦り取るように除去する。また、洗車中に溝部４に洗浄水等を、一時、溜めることができるので、保水性が高まり、ブラシ片１は、高い洗浄性を発揮することができる。
【００２６】
また、中空部３が、車体からブラシ片１に加えられた衝撃力を吸収する為、洗車時に、ブラシ片１が車体に当接する際の接触音が低減するので、高い静音性が発揮される。
【００２７】
さらに、ブラシ片１は、共有架橋構造を有する合成樹脂発泡体２にて形成されてあるので、高い弾力性を有している。その為、ブラシ片１は、洗車中に屈曲変形して車体に当接し、車体から離れると、元の形状に復元することができるので、屈曲変形した部分から折れや切れ等が発生することが無く、高い耐久性を発揮することができる。
【００２８】
また、本発明の他の実施の形態における洗車機用洗浄ブラシのブラシ片３１の動作、作用は下記の通りである。
【００２９】
前記ブラシ片１同様に、高い静音性と耐久性を具備すると共に、略円筒形状にて形成されてある為、洗車の際、ブラシ片３１の自由端側が、前記ブラシ片１に比べて柔軟に車体に当接すると共に、車体の細かな凹凸部分にたいしても当接するので、洗浄性の一層の向上につながる。
【００３０】
次に、本発明の他の実施の形態における洗車機用洗浄ブラシのブラシ片１１、４１について説明する。
【００３１】
図１（Ｂ）において、ブラシ片１１は、概長板形状の布帛２を長手方向の中央部にて二つ折りし、縫製による４箇所の接合部１４にて、４箇所の中空部１３を形成するよう構成されてある。ブラシ片１１に形成される中空部１３の数については、特に限定されるものではなく、上記４箇所以外にも、使用目的に応じて、適時、設定することができる。例えば、図４（Ｂ）の如く、布帛４２を二つ折りし、端部を縫製により接合された接合部４４にて形成し、中空部４３を有するブラシ片４１等を用いることができる。
【００３２】
布帛２、４２は、ポリエステル繊維を平織した織布にて形成されてある。なお、布帛２、４２は、ポリエステル繊維を綾織により織布として形成して用いることもできる。さらに、布帛２、４２は、ポリエステル繊維を水流絡合、熱圧着、ケミカルバインダー接着等の方法により不織布として形成しても良いし、ポリエステル繊維を編んで編布として形成して使用することもできる。また、繊維は前記ポリエステル以外にも、ポリアミド繊維、ポリエチレン繊維、ポリプロピレン繊維、アクリル繊維等の合成樹脂繊維、綿、レーヨン、絹等の天然繊維を単独、あるいは併用して用いても何ら支障は無い。
【００３３】
また、接合部１４、４４の形成方法は、前記縫製以外にも、液状のエポキシ接着剤、フィルム状のホットメルト接着剤を熱圧着させることによる接着、あるいは超音波溶着、熱溶着、レーザー波溶着等による溶着を用いて形成しても構わない。
【００３４】
本発明の他の実施の形態における洗車機用洗浄ブラシのブラシ片１１、４１の動作、作用は下記の通りである。
【００３５】
ブラシ片１１、４１は、中空部１３、４３を有する布帛１２、４２にて形成されてあるので、前記ブラシ片１、３１同様、高い静音性を有すると共に、布帛２、４２は、洗車中に、ポリエステル繊維の繊維間の空隙に洗浄水等を一時、溜めることができるので、保水性を高めることが可能であると同時に、被洗浄面である車体に密着して、車体に付着している汚れを拭き取ることができる為、極めて優れた洗浄性を発揮することができる。
【００３６】
また、ブラシ片４１は、接合部４４が１箇所であり、前記ブラシ片１１に比べて生産が容易であり、製造コストの低減につながる。
【００３７】
次に、図２、及び図３を用いて、洗車機用洗浄ブラシ２０について説明する。
【００３８】
図２において、洗車機用洗浄ブラシ２０は、ブラシ片１、及びアルミニウム等の金属材料からなる略円筒形状の軸体部２１からなり、軸体部２１には穴部２２が形成されてある。
【００３９】
また、図３の如く、軸体部２１の外周面には、穴部２２に連通し、横断面形状が概丸形の突起状の継ぎ手２３が形成されてあり、前記継ぎ手２３は、アルミニウム等の金属材料からなり、軸体部２１と溶接により接合されてある。ブラシ片１は、中空部３の一方の端部の内周面が、継ぎ手２３の外周面に接するよう勘合挿入され、接着等の方法により継ぎ手２３と固定され、軸体部２１に組み付けられてある。
【００４０】
本発明の洗車機用洗浄ブラシのブラシ片１を配した洗車機用洗浄ブラシ２０の動作、作用は下記の通りである。
【００４１】
洗車機用洗浄ブラシ２０は、ブラシ片１の中空部３を、軸体部２１から洗浄水、洗浄剤、風等の流体を被洗浄面に吹き付ける為の連絡通路としたもので、軸体部２１の穴部２２から前記流体を通すと、流体は継ぎ手２３の孔部２４を通り、ブラシ片１の中空部３から直接、被洗浄面である車体に噴霧される。その為、前記流体の噴霧に伴う水圧やエアー圧により、車体表面の砂塵等の汚れが吹き飛ばされると共に、ブラシ片１による水垢等の汚れの除去性能も発揮されるので、洗浄性が飛躍的に向上する。
【００４２】
また、洗車後、ブラシ片１の中空部３から温風が噴き出される場合、洗車中に洗浄水等で濡れたブラシ片１を乾かすことができるので、冬季におけるブラシ片１の凍結防止につながる。
【００４３】
次に、図５を用いて洗車機５０について説明する。
【００４４】
図５において、洗車機５０は、本発明の洗車機用洗浄ブラシのブラシ片１を配した洗車機用洗浄ブラシ２０が搭載されてあり、前記洗車機用洗浄ブラシ２０は駆動源５２により回転駆動される。ノズル５３からは、被洗浄面である車体にたいして、洗浄剤、及び洗浄水等が散布され、洗車機用洗浄ブラシ２０に組み付けられてあるブラシ片１により、車体に強固に付着している水垢等の汚れが除去され、洗浄後は洗車機５０の乾燥手段である乾燥機５４により車体が乾燥される。また、洗車機用洗浄ブラシ２０に組み付けられてあるブラシ片１の中空部３から直接、車体にたいして、洗浄剤、洗浄水、風等の流体が噴霧され、前記流体の噴霧に伴う水圧やエアー圧により、砂塵等の汚れが吹き飛ばされる。
【００４５】
本発明の洗車機用洗浄ブラシのブラシ片１を配した洗車機用洗浄ブラシ２０が搭載されてある洗車機５０の動作、作用は下記の通りである。
【００４６】
洗車機５０は、高い洗浄性を有する洗車機用洗浄ブラシ２０が搭載されてある。その為、洗車機５０は、駆動源５２により洗車機用洗浄ブラシ２０を高速回転に設定すると共に、洗浄時間を短時間に設定した場合においても、洗浄残りの無い高い洗浄性を発揮することができる。
【産業上の利用可能性】
【００４７】
本発明の洗車機用洗浄ブラシのブラシ片は、主に、自動車あるいは車両の外面の被洗浄面に付着した汚れ等を洗浄する為の洗車機に搭載する洗車機用洗浄ブラシのブラシ片として使用する。
【図面の簡単な説明】
【００４８】
【図１】（Ａ）本発明の洗車機用洗浄ブラシのブラシ片を前面側から見た斜視図、（Ｂ）本発明の他の実施の形態における洗車機用洗浄ブラシのブラシ片を前面側から見た斜視図
【図２】本発明の洗車機用洗浄ブラシのブラシ片を配した洗車機用洗浄ブラシを前面側から見た斜視図
【図３】図２の部分拡大断面図
【図４】（Ａ）本発明の他の実施の形態における洗車機用洗浄ブラシのブラシ片を前面側から見た斜視図、（Ｂ）本発明の他の実施の形態における洗車機用洗浄ブラシのブラシ片を前面側から見た斜視図
【図５】本発明の洗車機用洗浄ブラシのブラシ片を配した洗車機用洗浄ブラシが搭載されてある洗車機の正面図
【符号の説明】
【００４９】
１、１１、３１、４１  ブラシ片
２、３２  合成樹脂発泡体
３、１３、３３、４３  中空部
４  溝部
１２、４２  布帛
１４、４４  接合部
２０  洗車機用洗浄ブラシ
２１  軸体部
２２  穴部
２３  継ぎ手
２４  孔部
５０  洗車機
５２  駆動源
５３  ノズル
５４  乾燥機
【図１】
2007290529.tif 000003
【図２】
2007290529.tif 000004
【図３】
2007290529.tif 000005
【図４】
2007290529.tif 000006
【図５】
2007290529.tif 000007